(57)【特許請求の範囲】
【請求項１】
気密性を有する袋に、該袋の内外を連通する筒状の空気流路として、２枚のフィルムを重ねて両側をシールした形状の広幅筒状材であって、前記袋の内部の空気圧により閉鎖されて空気の流出を防ぐ構造の空気弁を備えた緩衝用空気袋において、
前記広幅筒状材の一端は前記袋内に突出され、
該袋内の前記広幅筒状材には、その袋内側先端部分の該広幅筒状材を構成する一方側の前記フィルムにその全幅に亘って、長方形帯状で剛性のあるプラスチックシートを接着することによりフィルムを平面状に保って、前記袋内突出部を構成する2枚のフィルムの変形を防止する板状形態保持部を一体に備え、
前記広幅筒状材の袋外側開口部には、該広幅筒状材を横切る配置に密封構造式チャックが備えられていることを特徴とする緩衝用空気袋。
【請求項２】
前記密封構造式チャックは、前記広幅筒状材内の対抗面に固着されるテープ状をした合成樹脂製の一対の基台部を備え、その一方の基台部の表面に一体に突設され、先端部内側面に断面が鈎状の鈎爪部を有する一対の雌鈎突条からなる雌封止具を備えるとともに他方の基台部の表面に一体に突設され、先端部外側面に断面が鈎状の鈎爪部を有し、前記雌鈎突条間に挿入される一対の雄鈎突条からなる雄封止具とを備え、且前記一方の基台部の前記両雌鈎突条の中間位置に一体に突設され、前記他方の基台部の両雄鈎突条間に圧入される密封用突条を備え、前記雄封止具を雌封止具内に挿入することによって両者間の前記両鈎爪部が互いに系合されるとともに前記密封用突条が前記雄鈎突条の背面間に圧入される構造に形成され、
前記雌封止具と前記雄封止具と前記密封用突条からなるチャック部を、前記一対の基台部間において該基台部の幅方向側に間隔を隔てた状態で少なくとも２列配置に備えている請求項１に記載の緩衝用空気袋。
【請求項３】
前記密封構造式チャックは、前記両基台部の内の一方側の基台部と前記広幅筒状材の前記袋外側開口部内面との固着を、該基台部裏面の前記広幅筒状材の開口縁部側に片寄せた位置のみにおいて固着した片側縁部固着構造とするとともに、
他方側の前記基台部と前記広幅筒状材の袋外側開口部内面との固着を、該基台部裏面の両縁部を固着させた両縁部固着構造とした請求項２に記載の緩衝用空気袋。
【請求項４】
前記密封構造式チャックは雌封止具の一方の雌鈎突条の根元部を該雌鈎突条が突設されている前記基台部の曲げ力が伝わり難い構造とするとともに、他方の雌鈎突条の根元部を該雌鈎突条が突設されている前記基台部にかかる曲げ力が伝わり易い構造とすることによって易開放側と難開放側とを構成している請求項２又は３に記載の緩衝用空気袋。
【請求項５】
前記密封構造式チャックは、前記広幅筒状材の開口縁部側を前記易開放側としてなる請求項４に記載の緩衝用空気袋。
【請求項６】
前記易開放側の雌鈎突条の根元部分の基台部との結合部の厚さを大きくすることによって該基台部にかかる曲げ力が伝わり易い構造としている請求項４又は５に記載の緩衝用空気袋。
【請求項７】
前記難開放側の雌鈎突条の根元部の形状を、該雌鈎突条の先端部側より前記易開放側の雌鈎突条側に湾曲させた形状とすることによって前記基台部にかかる曲げ力が伝わり難い構造としている請求項４，５又は６の何れか１項に記載の緩衝用空気袋。
【請求項８】
前記密封用突条はその先端部分に両面側を膨出させた形状の頭部を備え、該頭部の両側面が前記両雄鈎突条の背面を押圧して接触されるようにしてなる請求項２〜６又は７の何れか１項に記載の緩衝用空気袋。
【発明の詳細な説明】
【技術分野】
【０００１】
本発明は、荷物を輸送する際に、荷崩れ防止等、積荷を保護するために積荷間に設置する緩衝用空気袋に関する。
【背景技術】
【０００２】
従来、緩衝用空気袋は、図９〜図１０に示すように、プラスチックフィルム製の扁平な袋３１の辺に、袋３１の内外を連絡する筒状の空気流路として、２枚のフィルムを重ねて両側をシールして広幅筒状とした広幅筒状材３２を設けたものがある。
【０００３】
この袋３１は、広幅筒状材３２を通して袋３１の内部に空気を吹き込んで膨らませた際に、内部の空気圧により２枚のフィルムが密着し、広幅筒状材３２が閉鎖されて空気の流出を防ぐようになっている。また、この袋３１は、袋３１の外側にある広幅筒状材３２の端近くの部分に広幅筒状材３２を横断するチャック３３を有し、更に、広幅筒状材３２を構成する一方のフィルムの袋の内側にある部分を固定シール３４により袋３１内部に固定しているものである。
【特許文献１】特許第４０２６３４６号
【発明の開示】
【発明が解決しようとする課題】
【０００４】
しかし、上述した従来の緩衝用空気袋は、荷重負荷等により袋３１が局部変形した際に、その変形に袋３１内に固定されているフィルムが追随して波打ち現象等を起こし、フィルム同士の密着が不十分となり、空気が漏洩し易くなるという問題があった。
【０００５】
さらに、チャック３３は、それ自体では、高い圧力に耐え得るものではなく、袋３１内の空気がチャックまで達すると、その空気の圧力によりチャック３３が開き、空気が漏れてしまうという問題があった。
【０００６】
また、広幅筒状材３２の幅をある程度大きくすると、フィルムが袋３１内に固定されていない場合でも、袋３１内の空気圧によりフィルムが波打ち、空気が漏洩するという問題があった。
【０００７】
本発明はこのような従来の問題に鑑み、緩衝用空気袋が局部変形した場合、或いは、緩衝用空気袋の空気流路を大きく形成した場合等であっても、密封性が好適に保たれる緩衝用空気袋の提供を目的としてなされたものである。
【課題を解決するための手段】
【０００８】
上述の如き従来の問題を解決し、所期の目的を達成するための請求項１に記載の発明の特徴は、気密性を有する袋に、該袋の内外を連通する筒状の空気流路として、２枚のフィルムを重ねて両側をシールした形状の広幅筒状材であって、前記袋の内部の空気圧により閉鎖されて空気の流出を防ぐ構造の空気弁を備えた緩衝用空気袋において、前記広幅筒状材の一端は前記袋内に突出され、該袋内の前記広幅筒状材には、その袋内側先端部分の該広幅筒状材を構成する一方側の前記フィルムにその全幅に亘って、長方形帯状で剛性のあるプラスチックシートを接着することによりフィルムを平面状に保って、前記袋内突出部を構成する2枚のフィルムの変形を防止する板状形態保持部を一体に備え、前記広幅筒状材の袋外側開口部には、該広幅筒状材を横切る配置に密封構造式チャックが備えられていることにある。
【０００９】
請求項２に記載の発明の特徴は、前記密封構造式チャックは、前記広幅筒状材内の対抗面に固着されるテープ状をした合成樹脂製の一対の基台部を備え、その一方の基台部の表面に一体に突設され、先端部内側面に断面が鈎状の鈎爪部を有する一対の雌鈎突条からなる雌封止具を備えるとともに他方の基台部の表面に一体に突設され、先端部外側面に断面が鈎状の鈎爪部を有し、前記雌鈎突条間に挿入される一対の雄鈎突条からなる雄封止具とを備え、且前記一方の基台部の前記両雌鈎突条の中間位置に一体に突設され、前記他方の基台部の両雄鈎突条間に圧入される密封用突条を備え、前記雄封止具を雌封止具内に挿入することによって両者間の前記両鈎爪部が互いに系合されるとともに前記密封用突条が前記雄鈎突条の背面間に圧入される構造に形成され、前記雌封止具と前記雄封止具と前記密封用突条からなるチャック部を、前記一対の基台部間において該基台部の幅方向側に間隔を隔てた状態で少なくとも２列配置に備えていることにある。
【００１０】
請求項３に記載の特徴は、請求項２の構成に加え、前記密封構造式チャックは、前記両基台部の内の一方側の基台部と前記広幅筒状材の前記袋外側開口部内面との固着を、該基台部裏面の前記広幅筒状材の開口縁部側に片寄せた位置のみにおいて固着した片側縁部固着構造とするとともに、他方側の前記基台部と前記広幅筒状材の袋外側開口部内面との固着を、該基台部裏面の両縁部を固着させた両縁部固着構造としたことにある。
【００１１】
請求項４に記載の特徴は、請求項２又は３の構成に加え、前記密封構造式チャックは雌封止具の一方の雌鈎突条の根元部を該雌鈎突条が突設されている前記基台部の曲げ力が伝わり難い構造とするとともに、他方の雌鈎突条の根元部を該雌鈎突条が突設されている前記基台部にかかる曲げ力が伝わり易い構造とすることによって易開放側と難開放側とを構成していることにある。
【００１２】
請求項５に記載の特徴は、請求項４の構成に加え、前記密封構造式チャックは、前記広幅筒状材の開口縁部側を前記易開放側としたことにある。
【００１３】
請求項６に記載の特徴は、請求項４又は５の構成に加え、前記易開放側の雌鈎突条の根元部分の基台部との結合部の厚さを大きくすることによって該基台部にかかる曲げ力が伝わり易い構造としていることにある。
【００１４】
請求項７に記載の特徴は、請求項４，５又は６の何れか１項の構成に加え、前記難開放側の雌鈎突条の根元部の形状を、該雌鈎突条の先端部側より前記易開放側の雌鈎突条側に湾曲させた形状とすることによって前記基台部にかかる曲げ力が伝わり難い構造としていることにある。
【００１５】
請求項８に記載の特徴は、請求項２〜６又は７の何れか１項の構成に加え、前記密封用突条はその先端部分に両面側を膨出させた形状の頭部を備え、該頭部の両側面が前記両雄鈎突条の背面を押圧して接触されるようにしてなることにある。
【発明の効果】
【００１６】
本発明に係る緩衝用空気袋は、気密性を有する袋に、袋の内外を連通する筒状の空気流路として、２枚のフィルムを重ねて両側をシールした形状の広幅筒状材であって、袋の内部の空気圧により閉鎖されて空気の流出を防ぐ構造の空気弁を備えた緩衝用空気袋において、広幅筒状材の一端は袋内に突出され、袋内の広幅筒状材には、広幅筒状材を構成する一方側のフィルムに、その全幅に亘って肉厚な板状形態保持部が一体に形成され、広幅筒状材の袋外側開口部には、広幅筒状材を横切る配置に密封構造式チャックが備えられていることにより、この緩衝用空気袋に気体を充填した際に、緩衝用空気袋に外力が加わったとしても、広幅筒状材を構成するフィルムを平面状に保つことができ、高い密封性を保つことができる。また、密封性能を保ちつつ空気流路の幅を広くすることができる。
【００１７】
更に、密封構造式チャックは、広幅筒状材内の対抗面に固着されるテープ状をした合成樹脂製の一対の基台部を備え、その一方の基台部の表面に一体に突設され、先端部内側面に断面が鈎状の鈎爪部を有する一対の雌鈎突条からなる雌封止具を備えるとともに他方の基台部の表面に一体に突設され、先端部外側面に断面が鈎状の鈎爪部を有し、雌鈎突条間に挿入される一対の雄鈎突条からなる雄封止具とを備え、且一方の基台部の両雌鈎突条の中間位置に一体に突設され、他方の基台部の両雄鈎突条間に圧入される密封用突条を備え、雄封止具を雌封止具内に挿入することによって両者間の両鈎爪部が互いに系合されるとともに密封用突条が雄鈎突条の背面間に圧入される構造に形成され、雌封止具と雄封止具と密封用突条からなるチャック部を、一対の基台部間において基台部の幅方向側に間隔を隔てた状態で少なくとも２列配置に備えていることにより、好適に密封することができる。
【００１８】
更に、密封構造式チャックは、両基台部の内の一方側の基台部と広幅筒状材の袋外側開口部内面との固着を、基台部裏面の広幅筒状材の開口縁部側に片寄せた位置のみにおいて固着した片側縁部固着構造とするとともに、他方側の基台部と広幅筒状材の袋外側開口部内面との固着を、基台部裏面の両縁部を固着させた両縁部固着構造としたことにより、袋内側から袋を開く方向への力が加わった際に、チャックには、チャックを開く方向ではなく、チャックをスライドさせる方向に主に力が加わることとなり、チャックが外れ難くなる。さらに、袋内の気体の圧力により、チャックの基台部が閉じ方向に押圧されることとなり、より好適な密封効果が得ることができる。
【００１９】
更に、密封構造式チャックは雌封止具の一方の雌鈎突条の根元部を雌鈎突条が突設されている基台部の曲げ力が伝わり難い構造とするとともに、他方の雌鈎突条の根元部を雌鈎突条が突設されている基台部にかかる曲げ力が伝わり易い構造とすることによって易開放側と難開放側とを構成していることにより、易開放側からは、大きな力を要することなくチャックを容易に開放することができる。
【００２０】
更に、密封構造式チャックは、広幅筒状材の開口縁部側を易開放側としたことにより、チャック咬合の外れを防止できる。
【００２１】
更に、易開放側の雌鈎突条の根元部分の基台部との結合部の厚さを大きくすることによって基台部にかかる曲げ力が伝わり易い構造とし、難開放側の雌鈎突条の根元部の形状を、雌鈎突条の先端部側より易開放側の雌鈎突条側に湾曲させた形状とすることによって基台部にかかる曲げ力が伝わり難い構造としているため、これらの製造は、１つの樹脂成形型をもって全体が同時成形でき、易開放側と難開放側とを区別したチャックの成型が容易にできる。
【００２２】
密封用突条はその先端部分に両面側を膨出させた形状の頭部を備え、頭部の両側面が両雄鈎突条の背面を押圧して接触されるようにしていることにより、チャックの密封性能を向上させることができる。
【発明を実施するための最良の形態】
【００２３】
次に本発明における緩衝用空気袋の実施の形態を図面に示した実施例に基づいて説明する。
【００２４】
図１において、符号１は、緩衝用空気袋を示している。この緩衝用空気袋１は、気体を充填することができるものであり、気密性を有する袋である袋本体２と、この袋本体２の内外を連通する空気流路３を備えている。この空気流路３は閉鎖可能となっており、空気流路３を閉鎖することにより、袋本体２が密閉されるようになっている。
【００２５】
この空気流路３は、図２に示すように、２枚のフィルム４ａ，４ｂを重ねて両側をシールした形状に形成された広幅筒状材５によって構成されている。この広幅筒状材５は袋本体２内の空気圧により閉鎖される空気弁となっている。
【００２６】
この広幅筒状材５は、その一端側の開口部である袋内側開口部６を緩衝用空気袋１内に挿入し、他端側の袋外側開口部７を袋本体２外に突出させ、この広幅筒状材５を通して袋本体２内外が連通されるようになっている。また、袋本体２は、図１に示すように、プラスチックフィルム製で略方形状に形成されており、その一角を切り落とし、この角が落とされた部分に広幅筒状材５が設置されている。
【００２７】
この広幅筒状材５は、広幅筒状材５の袋内に突出している部分である袋内突出部８に、袋内突出部８を構成するフィルム４ａ，４ｂの波打ち等の変形を防止するために、板状形態保持部９が設けられている。
【００２８】
この板状形態保持部９は、袋内突出部８の袋内側先端部分にあって、該袋内突出部８を構成する重ね合わされたフィルム４ａ，４ｂの一方側のフィルム４ｂに、その全幅に亘って、フィルム４ｂと一体に平板状肉厚に形成されており、フィルム４ｂを平面状に保つようになっている。この板状形態保持部９は、長方形帯状で剛性のあるプラスチックシートを、フィルム４ｂの広幅筒状材外側面に接着することにより形成している。
【００２９】
緩衝用空気袋１に、気体を充填した際には、この広幅筒状材５の袋内に突出している部分である袋内突出部８に気体の圧力がかかり、広幅筒状材５を構成する重なり合わされたフィルム４ａ，４ｂ同士が密着して、空気流路３が閉鎖されることにより、空気の流出が阻止されるようになっている。そして、袋内突出部８に板状形態保持部９を備えていることにより、荷重が付加された際に緩衝用空気袋１が局部変形しても、フィルム４ｂの板状形態保持部９と一体となっている部分は平面状に保たれ、フィルム４ａ，４ｂ同士の密着が好適に保たれる。また、広幅筒状材５の幅を大きくしても、フィルム４ａ，４ｂ同士の密着を好適に保つことができる。
【００３０】
また、広幅筒状材５の袋内に突出している端部とは反対側の端部である袋外側開口部７には、密封構造式チャック１０が備えられている。この密封構造式チャック１０は、図３に示すように、広幅筒状材５の袋の外側に突出した袋外側開口部７において、この開口部７の対向面を構成しているフィルム４ａ，４ｂの内面間に開口部７を横切る方向に固着されている。そして、この密封構造式チャック１０は、一対のテープ状をした基台部１１，１２と、その間に互いに平行配置に設けられた一対のチャック部１３，１３とを備えている。
【００３１】
両チャック部１３，１３は同一構造のものであり、図４に示すように一方の基台部１１の表面に一体に突設された雌封止具１４内に、他方の基台部１２に一体に突設された雄封止具１５が挿入されることによって封止されるようになっている。
【００３２】
雌封止具１４は、基台部１１に突設され、先端部内側面に断面が鈎状の鈎爪部１６を有する一対の雌鈎突条１７ａ，１７ｂを備えている。雄封止具１５は、他方の基台部１２の表面に一体に突設され、先端部外側面に断面が鈎状の鈎爪部１８，１８を有し雌鈎突条１７ａ，１７ｂ間に挿入される一対の雄鈎突条１９，１９を備えている。
【００３３】
また、一方の基台部１１の両雌鈎突条１７ａ，１７ｂの中間位置に、他方の基台部１２の両雄鈎突条１９，１９間に圧入される密封用突条２０が一体に突設され、雄封止具１５を雌封止具１４内に挿入することによって両者間の両鈎爪部１６と１８とが互いに系合されるとともに前記密封用突条２０が前記雄鈎突条１９，１９の背面１９ａ，１９ａ間に圧入されるようになっている。
【００３４】
密封用突条２０はその先端部分に両面側を膨出させた形状の頭部２０ａを備え、該頭部２０ａの両側面が両雄鈎突条１９，１９の背面１９ａ，１９ａを押圧することによって互いに線接触状態となり、気液密性が維持されるようになっている。
【００３５】
また、雌封止具１４の一方の雌鈎突条１７ａの根元部の断面形状は、基台部１１側に至るに従って厚くしたテーパ状に成型されており、これによって該雌鈎突条１７ａが突設されている基台部１１に対する曲げ力がこの雌鈎突条１７ａに伝わり易く、従って図５に示すように、基台部１１を外側に曲げることによって、雌鈎突条１７ａが容易に雄鈎突条２７から離れる方向に曲げられて、互いに係合状態にある鈎爪部１６と１８とを容易に外すことが可能な易開放側係合部を構成している。
【００３６】
これに対し、他方の雌鈎突条１７ｂの根元部は、その外側面が基台部１１に至るに従って内側面と同様に一方の雌鈎突条１７ａ側に湾曲させた形状となっており、該根元部は、その厚さａ（図４に示す）が基台部１１の厚さｂより厚く成型され、断面形状が円弧状に成型された円弧状部２１を有している。このため、基台部１１に開き方向の曲げ力が作用した場合、図６に示すように、基台部１１が雌鈎突条１７ｂの根元部外側位置で曲がり、前記曲げ力が雌鈎突条１７ｂに容易には伝わらず、互いに係合状態にある鈎爪部１６，１８の係合が容易には外れない難開放側係合部を構成している。
【００３７】
上記構造の各チャック部１３，１３は、前記難開放側係合部を構成している雌鈎突条１７ｂを同じ側に向けた状態でそれぞれ基台部１１に対して一体に突設されている。
【００３８】
また、両基台部１１，１２のフィルム４ａ，４ｂに対する固着は、図３及び図７に示すように、難開放側係合部側を袋内側開口部６側に位置させ、雄封止具１５が突設されている基台部１２は、その背面の全域又はテープ状の両側縁部背面１２ａ，１２ｂがフィルム４ｂに対して固着されている。他方の雌封止具１４が突設されている基台部１１は、前述したテープ状の易解放側係合部、即ち袋外側開口部７の開口縁部側に位置する縁部背面１１ａのみがフィルム４ａに対して固着されている。
【００３９】
このように両基台部１１，１２とその背面側のフィルム４ａ，４ｂとを固着することにより、袋本体２内に充填された気体が、広幅筒状材５内の密封構造式チャック１０付近に漏れてきたとしても、この気体は、図７に示すように、フィルム４ａと基台部１１の間に入り込み、気体の圧力は、フィルム４ａと基台部１１の対向面を離反させる方向に働く。これは、基台部１１を基台部１２に押し付ける方向であり、密封構造式チャック１０を閉じる方向であるので、密封構造式チャックの密閉は、好適に保たれる。
【００４０】
また、両基台部１１，１２間には、両者の平面を互いに逆向きにスライドさせる方向であるＡ，Ｂ方向に力が作用し、両者の対向面を離反させる方向のモーメントは極めて小さいものとなり、両チャック部１３，１３に対するせん断応力によってフィルム４ａ，４ｂ間の開き方向の力に対して対抗することとなる。
【００４１】
このとき、雌封止具１４側においては、一対の雌封止具を構成している２対の雌鈎突条と２つの密封用突条２０を総合したせん断応力、雄封止具１５側においては一対の雄封止具１５を構成している２対の雄鈎突条を総合したせん断応力によって対抗することとなるため、大きな封止力が得られるとともに、密閉性が維持される。
【００４２】
尚、上記密封構造式チャック１０の開閉は、図には示してないが、断面略Ｕ字型をなしたスライダーを外側に嵌め付け、これをスライドさせることによってチャックを開閉動作させることが好ましい。このスライダーを使用することにより、チャックの開閉操作を無理なく容易に行うことができる。
【００４３】
上述した実施例においては、空気流路３は１つであるが、空気流路３を複数設けてもよい。その際には、例えば図８に示すように、袋本体２の隣り合う角に、１対の広幅筒状材５，５を設置するとよい。このようにすると、積荷を前から搬入し、後から搬出するタイプのコンテナ等において、空気流路３，３の開口部が搬入側と搬出側にそれぞれ存在するように緩衝用空気袋１を設置することができ、搬入時の給気作業と搬出時の排気作業とを別々の空気流路を使用して容易に行うことができる。
【００４４】
この緩衝用空気袋１は、ハンディタイプのエアブロワー（送風機）によって、容易に空気の給排気が可能となっている。また、この緩衝用空気袋１は、これを内袋とし、その外側に紙製の外袋を設けて使用するとよい。また、袋本体は、方形状でなくともよい。
【００４５】
このように、緩衝用空気袋１は、その空気流路３において、密封構造式チャック１０と板状形態保持部９の二箇所に効果的な閉鎖機能を有するので、優れた密封性を有する。従って、この緩衝用空気袋１は、高負荷のかかる輸送等においても使用することができる。また、口が広いので、好適に給排気ができる。そして、繰り返し使用することができる。
【図面の簡単な説明】
【００４６】
【図１】本発明に係る緩衝用空気袋の一例を示す平面図である。
【図２】図１におけるＸ−Ｘ方向の断面図である。
【図３】図１に示す実施例における密封構造式チャックを示す断面斜視図である。
【図４】同上のチャック部を示す断面図である。
【図５】同上のチャック部の易開放側の開き状態を示す拡大断面図である。
【図６】同上のチャック部の難開放側の開き状態を示す拡大断面図である。
【図７】図３に示す密封構造式チャックに対し袋内に充填された気体の圧力が作用した際の断面図である。
【図８】本発明に係る緩衝用空気袋の他の例を示す平面図である。
【図９】従来の緩衝用空気袋を示す平面図である。
【図１０】図９におけるＩ―Ｉ方向の断面図である。
【符号の説明】
【００４７】
１ 緩衝用空気袋
２ 袋本体
３ 空気流路
４ａ フィルム
４ｂ フィルム
５ 広幅筒状材
６ 袋内側開口部
７ 袋外側開口部
８ 袋内突出部
９ 板状形態保持部
１０ 密封構造式チャック
１１ 基台部
１１ａ 縁部背面
１２ 基台部
１２ａ 縁部背面
１２ｂ 縁部背面
１３ チャック部
１４ 雌封止具
１５ 雄封止具
１６ 鈎爪部
１７ａ 雌鈎突条
１７ｂ 雌鈎突条
１８ 鈎爪部
１９ 雄鈎突条
１９ａ 背面
２０ 密封用突条
２０ａ 頭部
２１ 円弧状部
３１ プラスチックフィルム製の扁平な袋
３２ 広幅筒状材
３３ チャック
３４ 固定シール
【図１】
0004725899.tif 000002
【図２】
0004725899.tif 000003
【図３】
0004725899.tif 000004
【図４】
0004725899.tif 000005
【図５】
0004725899.tif 000006
【図６】
0004725899.tif 000007
【図７】
0004725899.tif 000008
【図８】
0004725899.tif 000009
【図９】
0004725899.tif 000010
【図１０】
0004725899.tif 000011